(57)【要約】【課題】容易に取り付けることができ、使用時の安全性が高く、使い勝手の良い患者搬送具と点滴スタンドとの連結具を提供すること。【解決手段】患者搬送具１１０の水平方向細長部材１１２と取り外し可能に連結される水平梁１０と、水平梁に取り付けられ、つまみネジ２２を緩めると、水平梁回りに回転可能で、かつ、水平梁の長手方向にスライド可能であり、つまみネジを締めると、水平梁に固定されるつまみネジ付きスライド金具２０と、つまみネジ付きスライド金具に取り付けられ、水平梁に交差する方向に延在する鉛直梁３０であって、患者搬送具の鉛直方向細長部材１１４と取り外し可能に連結される鉛直梁と、水平梁の患者搬送具と連結される箇所１２に対し、つまみネジ付きスライド金具を挟んで反対側の端部１４に取り付けられ、点滴スタンド１３０の支柱１３６と連結する連結手段４０、を備える連結具１。【選択図】図１
2018153412.tif 000002
【特許請求の範囲】
【請求項１】
患者搬送具と点滴スタンドとを連結する連結具であって、
前記患者搬送具の水平方向細長部材と取り外し可能に連結される水平梁と；
前記水平梁に取り付けられ、つまみネジを緩めると、前記水平梁回りに回転可能で、かつ、前記水平梁の長手方向にスライド可能であり、つまみネジを締めると、前記水平梁に固定されるつまみネジ付きスライド金具と；
前記つまみネジ付きスライド金具に取り付けられ、前記水平梁と交差する方向に延在する鉛直梁であって、前記患者搬送具の鉛直方向細長部材と取り外し可能に連結される鉛直梁と；
前記水平梁の前記患者搬送具と連結される箇所に対し、前記つまみネジ付きスライド金具を挟んで反対側の端部に取り付けられ、前記点滴スタンドの支柱と連結する連結手段を備える；
連結具。
【請求項２】
前記水平梁の前記患者搬送具と連結される箇所に対し、前記つまみネジ付きスライド金具を挟んで反対側の端部に鉛直方向に延在する鉛直部材が固着され、
前記連結手段は該鉛直部材に取り付けられる；
請求項１の連結具。
【請求項３】
鉛直方向に離間した２個の前記連結手段を有する；
請求項２の連結具。
【請求項４】
前記患者搬送具の水平方向細長部材と前記水平梁とを面ファスナーで連結する；
請求項１ないし３のいずれかの連結具。
【請求項５】
前記患者搬送具の鉛直方向細長部材と前記鉛直梁とを面ファスナーで連結する；
請求項１ないし４のいずれかの連結具。
【請求項６】
前記鉛直梁は、前記つまみネジ付きスライド金具にねじで取り付けられる；
請求項１ないし５のいずれかの連結具。
【請求項７】
前記水平梁が、本体梁内にスライド梁を内蔵し、伸縮可能である；
請求項１ないし６のいずれかの連結具。
【請求項８】
前記スライド梁が、前記本体梁に対し軸回りに回転しない；
請求項７の連結具。
【発明の詳細な説明】
【技術分野】
【０００１】
本発明は、患者搬送具と点滴スタンドとを連結する連結具に関する。特に、患者搬送具への取り付けが容易で、安全に使用でき、かつ、使い勝手の良い連結具に関する。
【背景技術】
【０００２】
従来から病院内においては、自足歩行をしない点滴中の患者を搬送するために、車椅子に座った患者あるいは介助者が点滴スタンドを掴むことにより、点滴スタンドを車椅子と共に搬送することが行われている。しかし、安全性や利便性の観点から点滴スタンドと車椅子を連結する試みがなされている。
【０００３】
例えば特許文献１には、車椅子の肘掛支持フレームに筒状のホルダを水平方向前方に向けて装着し、筒状のホルダの先端に２つの半円筒体を蝶番で留める筒状のジョイントを備え、筒状のジョイントで点滴スタンドの支柱を環着する連結具が開示されている。
【０００４】
また、特許文献２には、車椅子を押すハンドルと点滴スタンドの支柱を連結するハンドル連結手段と、車椅子のクロスバーの連結部分と点滴スタンドの支柱を連結するクロスバー連結手段とで、点滴スタンドを車椅子の後方に連結する連結具が開示されている。
【先行技術文献】
【特許文献】
【０００５】
【特許文献１】特開２０１３−３４６３０号公報
【特許文献２】特開２０１６−１７９３６２号公報
【発明の概要】
【発明が解決しようとする課題】
【０００６】
しかし、特許文献１に開示された連結具では、段差等を越える際に点滴スタンドが傾斜しようとすると、筒状のホルダは肘掛支持フレームに装着されているだけのために捩れてしまい、傾斜を止めることが難しい。よって、点滴スタンドが転倒してしまう恐れがある。また、筒状のホルダを肘掛支持フレームに装着するだけなので、肘掛支持フレームの配置角度や形状によっては、筒状のホルダが傾斜して装着されることがある。したがって、特許文献１に開示された連結具では、車椅子の取り付けが容易であるとは言えず、かつ、使用中の安全性にも不安が残る。
【０００７】
また、特許文献２に開示された連結具では、車椅子の後方に連結するものであって、たとえば患者が歩行しようとするときには、点滴スタンドを大きく移動させなければならず、使い勝手が良くはない。
【０００８】
そこで、本発明は、車椅子等の患者搬送具に容易に取り付けることができ、使用中の安全性が高く、かつ、使い勝手の良い患者搬送具と点滴スタンドとを連結する連結具を提供することを課題とする。
【課題を解決するための手段】
【０００９】
上記課題を解決するため、本発明の第１の態様に係る連結具は、例えば図１および図２に示すように、患者搬送具１１０と点滴スタンド１３０とを連結する連結具１であって、患者搬送具１１０の水平方向細長部材１１２と取り外し可能に連結される水平梁１０と、水平梁１０に取り付けられ、つまみネジ２２を緩めると、水平梁１０回りに回転可能で、かつ、水平梁１０の長手方向にスライド可能であり、つまみネジ２２を締めると、水平梁１０に固定されるつまみネジ付きスライド金具２０と、つまみネジ付きスライド金具２０に取り付けられ、水平梁１０に交差する方向に延在する鉛直梁３０であって、患者搬送具１１０の鉛直方向細長部材１１４と取り外し可能に連結される鉛直梁３０と、水平梁１０の患者搬送具１１０と連結される箇所１２に対し、つまみネジ付きスライド金具２０を挟んで反対側の端部１４に取り付けられ、点滴スタンド１３０の支柱１３６と連結する連結手段４０を備える。
【００１０】
このように構成すると、水平梁と鉛直梁で患者搬送具に連結され、さらに、つまみネジ付きスライド金具で鉛直梁が水平梁に固定される位置や角度を容易に変更することができるので、患者搬送具に確実に、かつ、容易に取り付けることができ、使用中の安全性が高く、使い勝手の良い連結具となる。
【００１１】
本発明の第２の態様に係る連結具は、例えば図１に示すように、第１の態様に係る連結具１において、水平梁１０の患者搬送具１１０と連結される箇所１２に対し、つまみネジ付きスライド金具２０を挟んで反対側の端部１４に鉛直方向に延在する鉛直部材５０が固着され、連結手段４０は鉛直部材５０に取り付けられる。このように構成すると、連結手段が鉛直部材に取り付けられるので、高さをずらすことが可能となり、連結具と点滴スタンドとを連結する位置の高さを調節することにより点滴スタンドを安定して連結することができる。
【００１２】
本発明の第３の態様に係る連結具は、例えば図１に示すように、第２の態様に係る連結具１において、鉛直方向に離間した２個の連結手段４０を有する。このように構成すると、連結具と点滴スタンドとを点滴スタンドの支柱の高さの異なる２箇所で連結するので、点滴スタンドを安定して連結することができる。
【００１３】
本発明の第４の態様に係る連結具は、例えば図１に示すように、第１ないし第３のいずれかの態様に係る連結具１において、患者搬送具１１０の水平方向細長部材１１２と水平梁１０とを面ファスナー１６で連結する。このように構成すると、水平方向細長部材と水平梁とを面ファスナーで連結するので、取り付け取り外しが容易になる。
【００１４】
本発明の第５の態様に係る連結具は、例えば図１に示すように、第１ないし第４のいずれかの態様に係る連結具１において、患者搬送具１１０の鉛直方向細長部材１１４と鉛直梁３０とを面ファスナー１６で連結する。このように構成すると、鉛直方向細長部材と鉛直梁とを面ファスナーで連結するので、取り付け取り外しが容易になる。
【００１５】
本発明の第６の態様に係る連結具は、例えば図１に示すように、第１ないし第５のいずれかの態様に係る連結具１において、鉛直梁３０は、つまみネジ付きスライド金具２０にねじで取り付けられる。このように構成すると、鉛直梁がつまみネジ付きスライド金具にねじで取り付けられるので、鉛直梁を容易に交換することができ、すなわち、鉛直梁の長さを用途に応じて変更することが可能となる。
【００１６】
本発明の第７の態様に係る連結具は、例えば図１に示すように、第１ないし第６のいずれかの態様に係る連結具１において、水平梁１０が、本体梁１１内にスライド梁１９を内蔵し、伸縮可能である。このように構成すると、水平梁が伸縮可能であるので、患者搬送具と点滴スタンドの距離を変更することができ、使い勝手がよい。
【００１７】
本発明の第８の態様に係る連結具は、例えば図１に示すように、第７の態様に係る連結具１において、スライド梁１９が、本体梁１１に対し軸回りに回転しない。このように構成すると、スライド梁が本体梁に対し軸回りに回転しないので、点滴スタンドを安定して連結することができる。
【発明の効果】
【００１８】
本発明によれば、患者搬送具と点滴スタンドとを連結する連結具が、患者搬送具の水平方向細長部材と取り外し可能に連結される水平梁と、水平梁に取り付けられ、つまみネジを緩めると、水平梁回りに回転可能で、かつ、水平梁の長手方向にスライド可能であり、つまみネジを締めると、水平梁に固定されるつまみネジ付きスライド金具と、つまみネジ付きスライド金具に取り付けられ、水平梁に交差する方向に鉛直梁であって、患者搬送具の鉛直方向細長部材と取り外し可能に連結される鉛直梁と、水平梁の患者搬送具と連結される箇所に対し、つまみネジ付きスライド金具を挟んで反対側の端部に取り付けられ、点滴スタンドの支柱と連結する連結手段を備えるので、患者搬送具に容易に取り付けることができ、使用中の安全性が高く、また、使い勝手の良い連結具を提供することができる。
【図面の簡単な説明】
【００１９】
【図１】本発明の実施の形態としての連結具にて、車椅子と点滴スタンドを連結した例を示す図であり、（ａ）は正面図、（ｂ）は側面図である。
【図２】本発明の実施の形態としての連結具を示す図であり、水平梁を縮めた状態を示す側面図である。
【図３】本発明の実施の形態としての連結具を車椅子に連結した例を示す側面図であり、鉛直梁を斜めにして連結した例を示す。
【発明を実施するための形態】
【００２０】
以下、図面を参照して、本発明の実施の形態について説明する。なお、各図において、互いに同一または相当する装置には同一符号を付し、重複した説明は省略する。また、本明細書でいう「水平方向」、「鉛直方向」は図面における方向であり、図１における上下方向が鉛直方向となる。
【００２１】
先ず図１および図２を参照して、連結具１の構成を説明する。連結具１は、伸縮可能な水平梁１０を有する。水平梁１０は、本体梁１１内にスライド梁１９を内蔵し、伸縮可能とされる。ロック解除リング１８を操作することにより、スライド梁１９は本体梁１１と固定され、また、固定を解除されてスライドできるようになる。ロック解除リング１８の操作は、例えば、ロック解除リング１８を本体梁１１の長手方向で引き出したり、押し込んだりする。なお、スライド梁１９の固定方法は、他の公知の方法でもよい。また、水平梁１０は、本体梁１１とスライド梁１９とを有さず、伸縮可能でなくてもよい。例えばアルミ製のパイプを用いて、本体梁１１やスライド梁１９を製造できるので、軽量であり、かつ、安価に製造することができる。その他、ジュラルミン製パイプ、プラスチック製パイプ、ＦＲＰ製パイプ、ＣＦＲＰ製パイプ等、公知の素材を用いることができる。スライド梁１９は、後述するように、本体梁１１とは軸回りに回転しない構造とされるのがよい。
【００２２】
水平梁１０につまみネジ付きスライド金具２０が取り付けられる。つまみネジ付きスライド金具２０は、取り付け用貫通穴（不図示）と該取り付け穴と直交方向であって、後述の鉛直梁３０取り付け用のネジ穴（不図示）および、つまみネジ用ネジ穴が形成されたブロックで、取り付け用貫通穴に先端が突き出るつまみネジ２２が設けられる。取り付け用貫通穴には、水平梁１０、より詳細には本体梁１１が、貫通する。つまみネジ２２を締める（ネジ先端が取り付け用貫通穴に突き出る）と、つまみネジ付きスライド金具２０は水平梁１０に固定される。つまみネジ２２を緩めると、固定が解除され、つまみネジ付きスライド金具２０は水平梁１０回りを回転できるとともに、水平梁１０の軸方向、すなわち長手方向に、スライド可能となる。つまみネジ付きスライド金具２０は、例えばアルミブロック、黄銅ブロック、ステンレス鋼ブロック等を用いて形成することができる。
【００２３】
つまみネジ付きスライド金具２０のネジ穴には、鉛直梁３０の雄ネジが嵌め込まれる。すなわち、鉛直梁３０が水平梁１０に交差する方向に取り付けられる。ここで「交差する方向」とは、水平梁１０と鉛直梁３０とが車椅子１１０に連結されることにより、連結具１が車椅子１１０に固定されて動かないように水平梁１０と鉛直梁３０とが角度を有していることを指す。鉛直梁３０は、典型的には、水平梁１０に直交方向に取り付けられる。なお、つまみネジ付きスライド金具２０と鉛直梁３０との取り付けは、ネジ止めに限られず、ピン穴にピンを嵌合する、接着あるいは溶着する、等の公知の方法でもよい。ただし、ネジ止めとすると、取り付け取り外しが容易となり、好ましい。鉛直梁３０は、典型的には、水平梁１０とほぼ同じ径を有し、長さは短い。鉛直梁３０は、水平梁１０の本体梁１１やスライド梁１９と同様に、アルミ製パイプを用いて製造することができる他、ジュラルミン製パイプ、プラスチック製パイプ、ＦＲＰ製パイプ、ＣＦＲＰ製パイプ等、公知の素材を用いて製造することができる。
【００２４】
水平梁１０の先端１４、詳細にはスライド梁１９の先端に鉛直部材５０が固着される。鉛直部材５０は、水平梁１０と直交方向に延在する部材である。なお、鉛直部材５０は、水平梁１０に直交しなくてもよく、後述するように樹脂クリップ４０が点滴スタンド１３０と連結する高さを変えられるように延在すればよい。この意味で、鉛直部材５０は鉛直方向に延在する。鉛直部材５０は、点滴スタンド１３０を連結具１で連結して移動するときに、点滴スタンド１３０の移動に支障をきたすほど変形しない剛性を有していれば、いかなる断面形状を有していてもよい。例えば、２枚のアルミ板の両端でアルミブロックを挟んで固定したものでよい。あるいは、アルミ製角筒、樹脂製角筒などでもよい。典型的には、鉛直部材５０の長さは、鉛直梁３０より短い。
【００２５】
鉛直部材５０には、連結手段としての樹脂クリップ４０が２つ取り付けられる。樹脂クリップ４０は、点滴スタンド１３０の支柱１３６を掴み、また、解放できる部材である。樹脂クリップ４０を用いることで、点滴スタンド１３０の支柱１３６を掴んだ際に、支柱１３６を傷付けることを避け、また、支柱１３６と衝突することによる騒音を生じることを避けられる。さらに、樹脂クリップ４０であると、支柱１３６を掴み、解放する操作を容易に行うことができる。なお、ここでいう樹脂クリップ４０とは、樹脂製の２つの半円環形の端部を回転可能に接合し、バネの力で２つの半円環形を閉じて円環にするものである。なお、樹脂クリップ４０で支柱１３６を掴んだ際に、多少の隙間を有することが好ましいが、隙間がなくきつく掴んでもよい。樹脂クリップ４０は、鉛直部材５０が水平梁１０に固着されるのとは反対側で鉛直部材５０に取り付けられる。２つの樹脂クリップ４０は、鉛直方向に間隔を有して鉛直部材５０に取り付けられる。このことにより、後述するように、点滴スタンド１３０の移動を安定して行うことができる。
【００２６】
なお、連結具１は、１つの樹脂クリップ４０しか有していなくてもよい。その際には、樹脂クリップ４０の鉛直部材５０への取り付け位置を鉛直部材５０の長手方向、即ち鉛直方向にずらせることが好ましい。連結具１と点滴スタンド１３０の支柱１３６とを連結する高さを、点滴スタンド１３０を安定して移動する高さに調節できるからである。また、連結具１は、鉛直部材５０を有さず、樹脂クリップ４０を水平梁１０の先端に直接取り付けてもよい。
【００２７】
続いて図１および図２を参照して、連結具１を用いて、患者搬送具としての車椅子１１０と点滴スタンド１３０とを連結する方法について説明する。車椅子１１０の肘掛１１２または肘掛支持フレーム（不図示）に連結具１の水平梁１０の本体梁１１を沿わせて、２つの面ファスナー１６で、連結する。この場合、肘掛１１２または肘掛支持フレームが車椅子１１０の水平方向細長部材となる。その他、座面支持フレームの進行方向に長手を有する部材等を水平方向細長部材としてもよい。すなわち、患者搬送具１において水平梁１０を水平方向に取り付けられる部材が、水平方向細長部材となる。肘掛支持フレームに水平梁１０を沿わせて連結すると、面ファスナー１６や水平梁１０が患者の邪魔にならず、また、水平梁１０は、肘掛１１２でも上方から抑えられるので安定して水平に配置される。２つの面ファスナー１６で肘掛１１２と連結するので、肘掛１１２の長さ、太さ等に影響されず、適切な位置に連結することができる。なお一般的に、水平梁１０は、鉛直部材５０が鉛直下向きとなるように取り付けられる。
【００２８】
水平梁１０を２つの面ファスナー１６で肘掛１１２に連結するので、傾斜することなくしっかりと連結することができる。なお、例えば肘掛１１２が傾いている場合など、２つの面ファスナー１６の内の１つを、水平梁１０と肘掛１１２に隙間を持たせて、ゆるく留めることにより、水平梁１０を所望の角度に設置することができる。また、面ファスナー１６で水平梁１０を肘掛１１２に連結するので、簡単で迅速に取り付け取り外しを行うことができる。なお、２つの面ファスナー１６で水平梁１０を肘掛１１２に連結するのが好ましいが、例えば幅の広い１つの面ファスナーで連結してもよい。
【００２９】
次に、鉛直梁３０を車椅子１１０の縦方向フレーム１１４に沿わせる。その際に、つまみネジ付きスライド金具２０のつまみネジ２２を緩めて、鉛直梁３０の位置と傾きを縦方向フレーム１１４に合うように調整する。調整が済んだら、つまみネジ２２を締める。そして、２つの面ファスナー１６で鉛直梁３０を縦方向フレーム１１４に連結する。この場合、縦フレーム１１４が車椅子１１０の鉛直方向細長部材となる。なお、鉛直方向細長部材としては、車椅子１１０の他の鉛直方向のフレームを用いてもよいし、他の部材を用いてもよい。すなわち、患者搬送具１において鉛直梁３０を鉛直方向に取り付けられる部材が、鉛直方向細長部材となる。水平梁１０を２つの面ファスナー１６で肘掛１１２に連結し、鉛直梁３０を２つの面ファスナー１６で縦方向フレーム１１４に連結することにより、連結具１は車椅子１１０に確実に連結され、ゆるんだり変形したりすることがない。特に、水平梁１０と直交する鉛直梁３０をも連結するので、水平梁１０の連結に緩みがあっても、連結具１は確実に車椅子１に連結される。なお、鉛直梁３０は１つの面ファスナー１６で、あるいは幅の広い面ファスナーで、縦方向フレーム１１４に連結されてもよい。
【００３０】
次に、ロック解除リング１８を操作して、スライド梁１９を引き抜き、所望の長さにセットする。そして、ロック解除リング１８を操作してスライド梁１９と本体梁１１とを固定し、水平梁１０の長さを定める。そして、２つの連結手段である樹脂クリップ４０で点滴スタンド１３０の支柱１３６を掴む。２つの樹脂クリップ４０が支柱１３６とずれていて、支柱１３６を傾けてしまうような場合には、ロック解除リング１８を緩めてスライド梁１９を捩じったり、水平梁１０または鉛直梁３０の面ファスナー１６を緩めて、あるいは、つまみネジ２２を緩めてつまみネジ付きスライド金具２０や鉛直梁３０の位置や角度を微調整するなどして、調節してもよい。
【００３１】
このように、連結具１によれば、面ファスナー１６と樹脂クリップ４０とで、点滴スタンド１３０を車椅子１１０に容易に取り付けることができる。そして、水平梁１０と鉛直梁３０とを車椅子１１０に連結することで、固定具１を確実にしっかりと車椅子１１０に固定できる。特に、水平梁１０に対する鉛直梁３０の位置や角度をつまみネジ付きスライド金具２０により容易に調節できるので、固定具１を確実にしっかりと車椅子１１０に固定できる。車椅子１１０の形状が変わり、肘掛１１２や縦方向フレーム１１４の配置等が変わっても、つまみネジ付きスライド金具２０を利用して水平梁１０と鉛直梁３０との組み合わせ形状を変更して、車椅子１１０の形状に適合させることができる。さらに、面ファスナー１６で車椅子１１０に固定するので、車椅子１１０の右側にも左側にも連結することができるので、使い勝手がよい。
【００３２】
また、上下２つの樹脂クリップ４０で点滴スタンド１３０の支柱１３６を掴むので、点滴スタンド１３０は安定して連結具１に押されて移動する。また、例えば床面の段差を越える際に複数のキャスタ１３２が別々に上下して、キャスタ支持脚１３４が傾斜して、その結果支柱１３６が傾斜しようとしても、２つの樹脂クリップ４０により抑えられる。特に、スライド梁１９が本体梁１１に対し軸回りに回転しないので、鉛直部材５０も水平軸回りに回ることがなく、支柱１３６の傾斜等が抑えられる。すなわち、キャスタ支持脚１３４は傾斜せずに多少上下することになる。樹脂クリップ４０が多少の隙間を有して支柱１３６を掴んでいるので、支柱１３６は無理なく上下し、キャスタ１３２の上下運動を逃がすことができる。よって、点滴スタンド１３０が大きく傾斜したり、倒れたりすることがなく安全である。
【００３３】
また、車椅子１１０から点滴スタンド１３０までの距離を水平梁１０のスライド梁１９の引き出し量を調整することで、調節できる。すなわち、患者あるいは介護者にとって、使いやすい距離とすることができる。そして、点滴スタンド１３０が患者の前方に位置しているため、例えば患者が立ち上がって車椅子１１０から離れて歩こうとするときに、点滴スタンド１３０を持ち易く、また、樹脂クリップ４０で掴んでいるだけなので、例えば点滴スタンド１３０を強めに押すだけで外れ、使い勝手がよい。
【００３４】
連結具１では、鉛直梁３０がつまみネジ付きスライド金具２０にネジで取り付けられる。そのために、車椅子１１０あるいは他の患者搬送具の形状によって、鉛直梁３０を別の長さの鉛直梁と交換することができる。よって、車椅子１１０の縦方向フレーム１１４の形状が変わっても、連結具１の形状を車椅子１１０の形状に適合させ、しっかりと連結することができる。
【００３５】
図３は、本発明の実施の形態として、連結具１を変形した連結具２を車椅子１１６に連結した状態を示す側面図である。連結具２では、つまみネジ付きスライド金具２６が回転ピン２８を備える点で連結具１と異なり、他は同様である。図３に示す車椅子１１６の縦方向フレーム１１８は肘掛支持フレームから大きな曲がりを有する形状となっている。そのために、鉛直梁３０を斜め前方に傾斜させて連結する。この場合でも、鉛直梁３０は水平梁１０と交差する方向に延在する。つまみネジ付きスライド金具２６が回転ピン２８を備えるので、簡単に縦方向フレーム１１８に沿わせることができる。なおこの場合の「沿わせる」とは、大きな曲がりに沿うのではなく、２つの面ファスナー１６で連結する位置で鉛直梁３０と縦方向フレーム１１８とが隣接することを指す。
【００３６】
このように鉛直梁３０がつまみネジ付きスライド金具２６の回転ピン２８により斜め前方あるいは斜め後方に傾斜しても、連結具２は、水平梁１０と鉛直梁３０とが車椅子１１６に連結されることにより、しっかりと連結される。なお、鉛直梁３０とネジ止めされるネジ穴は、回転ピン２８の下側（水平梁１０が貫通する部分と、回転ピン２８を挟んで反対側）に形成されるのが一般的であるが、回転ピン２８をつまみネジ付きスライド金具２６の水平梁１０が貫通する部分とネジ止めされるようにし、回転ピン２８が鉛直梁３０と固定されてもよい。
【００３７】
以上では、患者搬送具を車椅子１１０として説明したが、患者搬送具としては、例えば移送車（移動式ベッド）でもよい。その場合、ベッド脇の水平方向のフレームが水平細長部材となり、鉛直方向のフレームあるいは脚が鉛直細長部材となる。
【００３８】
また、水平梁１０と肘掛１１２および鉛直梁３０と縦方向フレーム１１４とを面ファスナー１６で連結するものとして説明したが、例えば、結束バンド、ケーブルタイ、締結紐等、他の公知の手段で連結してもよい。
【００３９】
また、連結部材として樹脂クリップ４０を用いるものとして説明したが、樹脂クリップ４０には限定されず、クリップ、ベルト、ネジ等、他の公知の連結手段を用いて点滴スタンド１３０を連結してもよい。
【符号の説明】
【００４０】
１  連結具
１０  水平梁
１１  本体梁
１２  患者搬送具と連結される箇所
１４  端部
１６  面ファスナー
１８  ロック解除リング
１９  スライド梁
２０、２６  つまみネジ付きスライド金具
２２  つまみネジ
２８  回転ピン
３０  鉛直梁
４０  樹脂クリップ（連結手段）
５０  鉛直部材
１１０、１１６  車椅子（患者搬送具）
１１２  肘掛（水平方向細長部材）
１１４、１１８  縦方向フレーム（鉛直方向細長部材）
１３０  点滴スタンド
１３２  キャスタ
１３４  キャスタ支持脚
１３６  支柱
【図１】
2018153412.tif 000003
【図２】
2018153412.tif 000004
【図３】
2018153412.tif 000005